【手続補正書】
【提出日】平成16年9月10日(2004.9.10)
【手続補正１】
【補正対象書類名】明細書
【補正対象項目名】全文
【補正方法】変更
【補正の内容】
【書類名】  明細書
【発明の名称】  弾球遊技機
【特許請求の範囲】
【請求項１】
遊技球を発射する発射装置と、該発射装置により発射された遊技球の挙動により入賞等が成立したことに起因して規定数の遊技球を賞品球として払出す払出装置と、該払出装置から払い出された遊技球を検出する払出遊技球数検出装置と、前記払出装置に賞品球とする遊技球を供給する球タンクと、該球タンクから遊技球を誘導するタンクレールと、該タンクレールまたは球タンクに設けられて遊技球の有無を検出する遊技球検出手段とを備える弾球遊技機において、
前記払出装置の上流側には前記遊技球検出手段以外には遊技球の有無を検出する手段を備えず、
前記タンクレールは前記球タンクから流出した遊技球を２條に整列させ、
前記払出装置は該２條の遊技球の列に対応する２つのスプロケットを遊技球の重みで回転させて遊技球を払出す受動的構成であり、
前記払出遊技球数検出装置は前記払出装置から２條で払い出される遊技球の各條に対応して２つ設けられており、
前記払出装置を制御する内枠制御装置は、前記払出装置に払い出しを行わせているときに２つの前記払出遊技球数検出装置の一方が遊技球を検出しなくても他方が検出すれば前記払出を中断させない
ことを特徴とする弾球遊技機。
【請求項２】
請求項１記載の弾球遊技機において、
前記内枠制御装置は、前記遊技球検出手段が遊技球を検出し、前記払出遊技球数検出装置が遊技球を検出しないときは、球詰まりである旨を制御情報パネルに表示させる
ことを特徴とする弾球遊技機。
【発明の詳細な説明】
【０００１】
【発明の属する技術分野】
本発明は、弾球遊技機における賞球払出の技術に関する。
【０００２】
【従来の技術】
従来、パチンコ機では、遊技球が遊技盤に設けられている入賞口に入賞するとその入賞口に設定されている個数の遊技球が払出され、アレンジボール遊技機や雀球遊技機等の組み合わせ式遊技機では、遊技球が遊技盤面の入球口に入球して特定の組み合わせが成立すると得点となり、その得点に応じた個数の遊技球が賞球として払出されるのが一般的である。払出装置としては、例えばモータによって駆動されるスクリュウやスプロケット等の回転により遊技球を賞品球として払い出す構成のものがある。
【０００３】
賞球用の遊技球は機構盤の上部に取付けられた球タンクに貯留され、その球タンクの下部に開口した球流出口よりタンクレールに流出する。
タンクレールは球流出口側を上流側にして傾斜が設けられ、下流側はカーブレールを経て中継樋に接続され、続いて賞品球払出装置へと接続されている。中継樋には遊技球の有無を検出するためのスイッチが設けられ、遊技球の検出ができないときにはこの信号により遊技球の発射点への送り出しの停止や遊技球の払出の停止又は発射の停止が行われる。
【０００４】
【発明が解決をしようとする課題】
図４を参照して従来技術の問題を説明する。
【０００５】
図４は遊技機の背面に設けられる機構盤と称して入賞検出や賞品球の払出等を行う装置で遊技機の基本的な動作をさせるものであり、この機構盤に付いては、詳細な図を省略し、本課題である賞品球払出装置のみの説明をする。
図４の（ａ）に示すように、賞品球として遊技球を蓄える賞球タンク４３が設けられ、賞球タンク４３の下流部にタンクレール８１が接続され、さらにはカーブレール８２を経て、払出装置８０が球切検出スイッチ８８と一体的に設けられている。
カーブレール８２には、球抜レバー９０が設けられ、この球抜レバー９０を操作すると賞球タンクから上誘導樋９５までの遊技球を抜き取ることができる。
上誘導樋９５の下流側にては、誘導アクチェータ支軸８９に誘導アクチェータ８３が軸支され、その一部を機械接点方式の球切検出スイッチ８８に設けられるスイッチアクチェータ８４に接触させている。したがって、遊技球があるときは誘導壁面８６との間の遊技球とで球切検出スイッチ８８が入りっぱなしになって、遊技球が無くなると球切検出スイッチ８８が切れた状態となる。
遊技球は、誘導壁面８６から下誘導樋９６を経てスプロケット９２に至っている。
スプロケット９２は、駆動モータ９３で駆動され、スプロケット９２が点線矢印Ｂ方向に回転をすると図でも分かるように遊技球が下流方向に流れ球検出センサ９４を経て図示しない上皿に排出される。
【０００６】
図４（ｂ）で前述した球切検出スイッチ８８の詳細を述べる。
球切検出スイッチ８８にはスイッチアクチェータ８４で作動させるスイッチノブ８５が設けられ、スイッチアクチェータ８４がスイッチ側に動作するとスイッチノブ８５が押し込まれる形となりオン状態となる。
機械接点方式のここでこのスイッチは製造上の動作公差が決められていてＯＦ動作何ミリＲＦ動作何ミリといったものがあることと、内部スプリングに接点を付けた燐青銅でできている。この燐青銅は少しではあるが形状記憶をすることがありＯＦ動作９８と点線で示すＲＦ動作９９の公差と形状記憶とで、スイッチが入りにくかったり切れにくかったりする。誘導アクチェータ８３で押しっぱなしが続くと、球切検出スイッチ８８のオンする位置が変わって時々オンしなくなる。このことは遊技球の払出において払出が停止することであり遊技客にしてみれば嫌なものである。
【０００７】
【課題を解決するための手段とその効果】
請求項１記載の弾球遊技機は、
遊技球を発射する発射装置と、該発射装置により発射された遊技球の挙動により入賞等が成立したことに起因して規定数の遊技球を賞品球として払出す払出装置と、該払出装置から払い出された遊技球を検出する払出遊技球数検出装置と、前記払出装置に賞品球とする遊技球を供給する球タンクと、該球タンクから遊技球を誘導するタンクレールと、該タンクレールまたは球タンクに設けられて遊技球の有無を検出する遊技球検出手段とを備える弾球遊技機において、
前記払出装置の上流側には前記遊技球検出手段以外には遊技球の有無を検出する手段を備えず、前記タンクレールは前記球タンクから流出した遊技球を２條に整列させ、前記払出装置は該２條の遊技球の列に対応する２つのスプロケットを遊技球の重みで回転させて遊技球を払出す受動的構成であり、前記払出遊技球数検出装置は前記払出装置から２條で払い出される遊技球の各條に対応して２つ設けられており、前記払出装置を制御する内枠制御装置は、前記払出装置に払い出しを行わせているときに２つの前記払出遊技球数検出装置の一方が遊技球を検出しなくても他方が検出すれば前記払出を中断させないことを特徴とする。
２條の払出経路の一方が賞球を払出せなくても（払出遊技球数検出装置の一方が遊技球を検出せず）、他方での払い出しができるなら（他方が検出すれば）払出を中断しないので、払い出しの中断に起因する発射の停止（遊技の中断）も行われない。
【０００８】
請求項２記載の弾球遊技機は、請求項１記載の弾球遊技機において、前記内枠制御装置は、前記遊技球検出手段が遊技球を検出し、前記払出遊技球数検出装置が遊技球を検出しないときは、球詰まりである旨を制御情報パネルに表示させるので、速やかに球詰まりを解消できる。
【０００９】
【００１０】
【００１１】
【００１２】
【実施の形態】
次に、本発明の好適な実施例を図面を参照して説明する。なお、本発明の実施の形態は、下記の実施例に何ら限定されるものではなく、本発明の技術的範囲に属する限り種々の形態を採り得ることは言うまでもない。
【００１３】
【実施例】
図１は、弾球遊技機の一種であるパチンコ機（以下、「遊技機」）１０の正面斜視図で、左側に遊技球の貸出を制御するカードリーダー２５を備え、図示しない遊技機設置島へ共に設置される。
遊技機１０の外枠１２は遊技機１０の外殻をなし、遊技機設置島に固定する筺体でもある。その外枠１２には、上下のヒンジ１４で前面枠１３が開閉可能に取付けられている。  前面枠１３には、上部に大当たりランプ１７、右側にストップランプ１８、満杯表示ランプ１９、発射同期ランプ２０、払出同期ランプ２１を一体的な構造で取付けられている。
前面枠１３には中央に点線で示す図柄表示装置３０を擁した遊技盤１１が填められており前面枠１３の内側周りを窓枠状の金枠３４が取付けられている。金枠３４の左側に球抜穴２３が設けられていて、玉抜棒２４をこの球抜穴２３に差し込めば、詳細を後述する球抜ができる構造となっている。
【００１４】
前面枠１３の中央やや下側に上皿１５が、その下に下皿１６が設けられ、上皿１５の右側にはカードリーダー２５を操作する貸出ボタン２８と精算ボタン２９が設けられている。カードリーダー２５のカード口２６に詳細を述べない金銭と交換したカードを差し込めば上皿１５に設けられる貸球表示装置２７に差し込まれたカードの内容を表示する。カードを差し込んで貸球表示装置２７が０表示でなければ貸出ボタン２８を押せば、貸球としての遊技球が上皿に払い出される。貸球表示装置２７の貸球残高が残っているとき精算ボタン２９を押せばカードがカード口２６より排出される。
前面枠１３の右下には遊技球を発射するための発射ハンドル２２が取付けられていて、この発射ハンドル２２を操作すれば上皿１５に投入された遊技球を遊技盤１１に発射ができる。
次に図２で遊技機１０の裏構造について説明をする。
【００１５】
遊技機１０の左下に発射モータ４１や発射槌４２が付けられた発射装置４０に連設されており、前述した発射ハンドル２２を操作すると発射モータ４１が作動しさらには発射槌４２が作動する。
遊技機１０の背面部には機構盤３５が遊技盤１１を背面から覆うように取付けられている。
機構盤３５の上部には、賞品球または貸球としての遊技球が貯留された賞球タンク４３が付けられ、その下に遊技球の有無を検出するための補給スイッチ４４が付けられたタンクレール４５が接続され、賞球タンク４３の遊技球はタンクレール４５へ流下する。
タンクレール４５の下流側には払出装置４６と球抜装置４７を内蔵したカーブレール５６が接続されている。
球抜装置４７には、球抜弁５４が設けられ、この球抜弁５４と連動する球抜レバー５２がレバーバネ５３で球抜弁５４が外れないように球抜レバー５２を付勢してある。図１で述べた玉抜棒２４がこの球抜レバー５２を押すことで球抜弁５４が外れ、賞球タンク４３やタンクレール４５にある遊技球を球抜通路５５へ流し球抜ができるようになる。また全ての賞球タンク４３やタンクレール４５にある遊技球が排出されてから、再び玉抜棒２４で球抜レバー５２を押せば球圧が球抜弁５４にかかっていないので球抜状態であったものが復帰される。
図示する現在の状態は賞球タンク４３やタンクレール４５に遊技球がなく払出装置４６の払出装置カバー５１が外している状態であって、払出装置カバーには詳細を後述する制御ソレノイド５８がつけられている。
【００１６】
払出装置４６には遊技球を払い出すためのスプロケット４８が設けられ、その下流側に払出遊技球数検出装置５０が設けられている。
スプロケット４８を中心にして遊技球を整列送り出しをする球送出部７９が成り立っており、払出の開始が指示されるとスプロケット４８が回転をして遊技球を下流側である賞球通路４９に流せば途中経路にある払出遊技球数検出装置５０が通過する遊技球の数を数え、払出される遊技球を定められた数に制限をすることができる。
タンクレール４５の下に図柄表示装置３０の背面部があって、その下方に遊技盤制御装置３３が取付けられている。
遊技盤制御装置３３は遊技盤１１に着脱可能に取付けられ、図柄表示装置３０や詳細を述べなく図示しない遊技盤１１の表面に設けられる各種入賞口の制御等を行っている。
遊技盤制御装置３３の下に内枠制御装置３２が設けられ、この内枠制御装置３２は前述した払出装置４６や発射装置及び大当たりランプ１７、右側にストップランプ１８、満杯表示ランプ１９、発射同期ランプ２０、払出同期ランプ２１等の制御を行っている。
【００１７】
なお、遊技機１０の電源投入のとき遊技盤制御装置３３は図示しない各入賞口に対する入賞球数や貸球の初期設定を内枠制御装置３２に初期送信し、さらに遊技盤制御装置３３は遊技中の遊技盤１１に発生する遊技情報をも間欠的に内枠制御装置３２に送信している。
内枠制御装置３２には、制御情報パネル３１が設けられ遊技盤１１の作動状況やトラブル情報等の表示を行う。例えば補給スイッチ４４が遊技球の空の状態を表示することができ「タンクニタマガアリマセン」とか、また補給スイッチ４４が空を検出せず払出遊技球数検出装置５０に賞品球である遊技球の検出ができないときは、タンクレール４５で遊技球が詰まっていると判断ができるので「タマツマリデス」の表示をすることができる。
本遊技機１０には図４に示す球切検出スイッチ８８が設けていないので、時々球切検出スイッチ８８が作動して遊技球の払出停止といったことがない。球切検出スイッチ８８が無くても同等の働きを払出遊技球数検出装置５０で行うことが可能である。
【００１８】
カードリーダー２５の貸球情報コネクタ３８が貸球情報線３７で内枠制御装置３２に接続されている。
賞球タンク４３の右側には外部接続装置３９が設けられ遊技機１０に発生する詳細を述べない大当たり情報、時短モード情報、不正遊技情報、図柄表示装置３０の図柄変動情報やタンクレール４５に設けた補給スイッチ４４による遊技球補給要求情報等の各種情報を図示しない遊技場管理システムに送信している。
内枠制御装置３２には遊技機１０の全ての電力を賄う電源コード３６が付けられている。
【００１９】
次に図３によって払出装置４６の詳細を述べる。
払出装置４６は、２條設けられ機構盤３５に取付けられようにした払出装置カバー５１により内部保護をしている。
払出装置カバー５１に、ソレノイド固定台６３が付けられ、そのソレノイド固定台６３には制御ソレノイド５８が取付けられている。
制御ソレノイド５８には、ピストン動作させるプランジャー６０が押圧バネ５７で飛び出す状態はめ込まれ、プランジャー６０の先端にスレーブ６２を伴った固定ラチェット５９が付けられている。制御ソレノイド５８に電力を通電をするとプランジャー６０が引っ込みソレノイド固定台６３の壁面に沿ってスレーブ６２と共に制御ソレノイド５８の引っ込み方向に引き込まれ固定ラチェット５９も同方向に作動し、電力を遮断すれば上述の逆方向に作動する。
払出装置４６のカーブレール５６には、押しガイド孔７８があるスプロケット軸６４が付けられ、そのスプロケット軸６４にスプロケット４８が破線矢印Ｐ方向に挿入され、前述の払出装置カバー５１のソレノイド固定台６３の一部が取着部７４に破線矢印Ｔ方向に貫入されている。
したがって、払出装置カバー５１を機構盤３５に取付ける際にソレノイド固定台６３の先端を、取着部７４に挿入するのみで揺動せず安定した状態で取付けができる。
【００２０】
スプロケット４８には、回転ラチェット６１が設けられている。制御ソレノイド５８が非通電のときは固定ラチェット５９と噛み合った状態にある。制御ソレノイド５８に通電をするとスプロケット４８はフリーになり遊技球の重みでも自由に回転可能である。
払出装置４６には球抜装置４７を併合されていてカーブレール５６に設けられる図示しない球抜弁軸に球抜弁重錘６８を伴った球抜弁５４が球抜弁軸穴６９を通して付けられている。これによりたえず球抜弁重錘６８で下方向に付勢されているのでスプロケット４８を包み込む状態になっている。
機構盤３５の一部に台座６７が設けられレバー支軸６６で作動レバー７２に設けられるレバー軸穴７７を通して作動レバー７２がレバー支軸６６を支点にして揺動可能である。
作動レバー７２には、一方にロックフリーピンが設けられ、他方には作動軸穴７３設けられたスライダー７６が取付けられ、ロックフリーピン６５は破線矢印Ｓ方向で押しガイド孔に挿貫され、スライダー７６は球抜通路５５に設けられるスライド溝７５に破線矢印Ｕ方向に置かれる。
【００２１】
スライダー７６には開放ロック部７０が設けられ、球抜弁５４には球抜弁ロック部７１が設けられている。通常時は球抜弁５４の球抜弁ロック部７１とスライダー７６の開放ロック部７０とで半固定の状態になっており、スライダー７６が破線矢印Ｕの反対方向に動作すると開放ロック部７０と球抜弁ロック部７１が離れ球抜弁５４はフリーとなる。
作動軸穴７３は図示しない球抜レバー５２に接続されており玉抜棒２４で球抜レバー５２を押せば球抜弁５４がフリーで、ロックフリーピン６５が固定ラチェット５９を押すのでスプロケット４８もフリーとなる。仮にスプロケット４８やタンクレール４５、賞球タンク４３に遊技球があると、遊技球の重みでスプロケット４８が回転するので、スプロケット４８やタンクレール４５、賞球タンク４３にある遊技球は球抜通路５５へ流れ出すこととなる。
スプロケット４８に遊技球が無くなると球抜弁５４は球抜弁重錘６８の重みでスプロケット４８側に移動するので、再び玉抜棒２４で球抜レバー５２を押せば球抜弁ロック部７１が開放ロック部７０の内側に入り込み、玉抜棒２４を引き出せば球抜弁５４はロックされる。この構造は機械的動作であるので電源が無くても全ての遊技球を抜き出すことができるといった優れた効果が得られる。
【００２２】
スプロケット４８やタンクレール４５、賞球タンク４３に遊技球が保有されれ球抜弁５４が固定された状態で制御ソレノイド５８に電力を供給すると固定ラチェット５９がスプロケット４８の回転ラチェット６１から外れスプロケット４８に保有する遊技球がその重みでスプロケット４８が回転を始めスプロケット４８に保有する遊技球は順次賞球通路４９の方向に流れる。
途中に払出遊技球数検出装置５０が設けてあるので１個１個遊技球を数えることができる。払出遊技球数検出装置５０が遊技球を数えることができない、つまり遊技球を検出できないことは遊技球が無いと判断ができる。
本装置のスプロケット４８やタンクレール４５及び払出遊技球数検出装置５０は、２條設けてあるので１條が遊技球の供給が止まっても一方で払出が可能である。このとき遊技球の検出ができない払出遊技球数検出装置５０は、このことを報知システムで報知をすれば遊技球の払出中に対処ができるので入賞球の溜まりと言ったトラブルの回避もできる。
【００２３】
一般的な払出装置は、普通ステッピングモータでスプロケットを回転させ遊技球の払出を行っているが、能動的なスプロケットに対し受動的な遊技球の流れでは、流れるタイミングのずれ、つまり遊技球と遊技球との間隔がでる場合で本装置のスプロケット４８のように歯先を特別に加工しても、従来の方式の能動的な動作をするスプロケットはそのスプロケットの歯先に遊技球が噛み込むことがしばある。
本装置ではスプロケット４８が受動的に動作をさせるので噛み込むことが無くなる。
【図面の簡単な説明】
【図１】  実施例の遊技機正面斜視図である。
【図２】  実施例の遊技機背面図である。
【図３】  実施例の払出装置で遊技球の有無を検出する装置を使わずその動作や構造を説明する斜視分解図である。
【図４】  従来の払出装置に於ける遊技球有無検出器を付けて動作させる説明図である。
【符号の説明】
１０…遊技機、１１…遊技盤、１２…外枠、１３…前面枠、１４…ヒンジ、１５…上皿、１６…下皿、１７…大当たりランプ、１８…ストップランプ、１９…満杯表示ランプ、２０…発射同期ランプ、２１…払出同期ランプ、２２…発射ハンドル、２３…球抜穴、２４…玉抜棒、２５…カードリーダー、２６…カード口、２７…貸球表示装置、２８…貸出ボタン、２９…精算ボタン、３０…図柄表示装置、３１…制御情報パネル、３２…内枠制御装置、３３…遊技盤制御装置、３４…金枠、３５…機構盤、３６…電源コード、３７…貸球情報線、３８…貸球情報コネクタ、３９…外部接続装置、４０…発射装置、４１…発射モータ、４２…発射槌、４３…賞球タンク、４４…補給スイッチ、４５…タンクレール、４６…払出装置、４７…球抜装置、４８…スプロケット、４９…賞球通路、５０…払出遊技球数検出装置、５１…払出装置カバー、５２…球抜レバー、５３…レバーバネ、５４…球抜弁、５５…球抜通路、５６…カーブレール、５７…押圧バネ、５８…制御ソレノイド、５９…固定ラチェット、６０…プランジャー、６１…回転ラチェット、６２…スレーブ、６３…ソレノイド固定台、６４…スプロケット軸、６５…ロックフリーピン、６６…レバー支軸、６７…台座、６８…球抜弁重錘、６９…球抜弁軸穴、７０…開放ロック部、７１…球抜弁ロック部、７２…作動レバー、７３…作動軸穴、７４…取着部、７５…スライド溝、７６…スライダー、７７…レバー軸穴、７８…ガイド孔、７９…球送出部。